(57)【特許請求の範囲】
【請求項１】
支持体と、
打撃されることで変位及び／又は変形するように前記支持体に支持されたドラムボード本体と、
前記ドラムボード本体の直下において被支持部にて前記支持体に支持されたセンサ取り付け部材と、
前記センサ取り付け部材の前記被支持部と自由端部との間に取り付けられ、前記自由端部に力が加えられたことを検出して信号を出力するセンサ部とを有し、
前記センサ取り付け部材は、前記ドラムボード本体の非打撃時においては、前記センサ取り付け部材の前記自由端部が前記ドラムボード本体の下面の所定部に対して非接触で近接し、且つ、前記ドラムボード本体の打撃時においては、前記ドラムボード本体の前記所定部が前記センサ取り付け部材の前記自由端部に当接し得るように配置され、
前記センサ部は、前記ドラムボード本体の打撃時において、前記ドラムボード本体の前記所定部が前記センサ取り付け部材の前記自由端部に当接することで生じる出力信号の変化を前記ドラムボード本体の打撃状態として検出するように構成されたことを特徴とする電子打楽器装置。
【請求項２】
前記ドラムボード本体及び前記センサ取り付け部材は、それぞれ独立して前記支持体に支持され、且つ、前記ドラムボード本体は、前記センサ取り付け部材が前記支持体に支持されたままの状態で前記支持体に対して着脱自在に構成されたことを特徴とする請求項１記載の電子打楽器装置。
【請求項３】
前記ドラムボード本体の前記所定部と前記センサ取り付け部材の前記自由端部との間隙を調節する調節手段を有することを特徴とする請求項１または２記載の電子打楽器装置。
【発明の詳細な説明】
【技術分野】
【０００１】
本発明は、ドラムボードの打撃をセンサで検出する電子打楽器装置に関する。
【背景技術】
【０００２】
従来、電子打楽器装置においては、擬似的なシンバル等のドラムボードの打撃を圧電素子等の打撃センサで検出し、その検出信号に基づいて、打撃音を電子的に発生させるように構成される。打撃センサは、通常、ドラムボード本体の下方に配設される。
【０００３】
例えば、下記特許文献１の電子打楽器装置では、打撃センサとしてのメンブレンスイッチが、ドラムボード本体であるハイハットの下部の底部の内面に固着して設けられる。また、下記特許文献２の電子打楽器装置では、打撃センサとしてのピックアップ装置が、円錐状または扇状に形成されたドラムボード本体であるシンバル本体の周縁部の下面に設けられる。
【特許文献１】特開２００３−３１６３５５号公報
【特許文献２】特許３６５８８６２号公報
【発明の開示】
【発明が解決しようとする課題】
【０００４】
しかしながら、上記特許文献１、２では、いずれも、打撃センサがドラムボード本体に対して固定的に設けられ、ドラムボード本体とは常時接触状態にある。そのため、複数のドラムボード本体を同時に演奏する場合において、他のドラムボード本体の打撃による振動がフレーム等を通じて当該ドラムボード本体に伝わり、それが当該ドラムボード本体の打撃センサで検出されてしまうことがあった。すなわち、他のドラムボード本体の打撃等に起因するノイズ振動により、当該ドラムボード本体の打撃の誤検出が生じやすいとい問題があった。
【０００５】
本発明は上記従来技術の問題を解決するためになされたものであり、その目的は、他のドラムボード本体の打撃等に起因するノイズ振動による誤検出を抑制することができる電子打楽器装置を提供することにある。
【課題を解決するための手段】
【０００６】
上記目的を達成するために本発明の請求項１の電子打楽器装置は、支持体（１０）と、打撃されることで変位及び／又は変形するように前記支持体に支持されたドラムボード本体（２１）と、前記ドラムボード本体の直下において被支持部（１２ｂ）にて前記支持体に支持されたセンサ取り付け部材（１２）と、前記センサ取り付け部材の前記被支持部と自由端部（１２ａ）との間に取り付けられ、前記自由端部に力が加えられたことを検出して信号を出力するセンサ部（１３）とを有し、前記センサ取り付け部材は、前記ドラムボード本体の非打撃時においては、前記センサ取り付け部材の前記自由端部が前記ドラムボード本体の下面の所定部（２１ｃ）に対して非接触で近接し、且つ、前記ドラムボード本体の打撃時においては、前記ドラムボード本体の前記所定部が前記センサ取り付け部材の前記自由端部に当接し得るように配置され、前記センサ部は、前記ドラムボード本体の打撃時において、前記ドラムボード本体の前記所定部が前記センサ取り付け部材の前記自由端部に当接することで生じる出力信号の変化を前記ドラムボード本体の打撃状態として検出するように構成されたことを特徴とする。
【０００７】
好ましくは、前記ドラムボード本体及び前記センサ取り付け部材は、それぞれ独立して前記支持体に支持され、且つ、前記ドラムボード本体は、前記センサ取り付け部材が前記支持体に支持されたままの状態で前記支持体に対して着脱自在に構成される（請求項２）。
【０００８】
好ましくは、前記ドラムボード本体の前記所定部と前記センサ取り付け部材の前記自由端部との間隙（Ｃ１）を調節する調節手段（１８）を有する（請求項３）。
【０００９】
なお、上記括弧内の符号は例示である。
【発明の効果】
【００１０】
本発明の請求項１によれば、他のドラムボード本体の打撃等に起因するノイズ振動による誤検出を抑制することができる。
【００１１】
請求項２によれば、支持体に対する取付部を同じくする複数のドラムボード本体のうち１つを選択して支持体に着脱可能にして、ドラムボード本体の交換を可能にすることができる。
【００１２】
請求項３によれば、ドラムボード本体の打撃時の不感帯等、検出感度の調節が可能になる。
【発明を実施するための最良の形態】
【００１３】
以下、本発明の実施の形態を図面を参照して説明する。
【００１４】
図１は、本発明の一実施の形態に係る電子打楽器装置の斜視図である。この電子打楽器装置は電子ドラムとして構成される。以降、本打楽器装置の奏者が座る側を「奏者側」乃至「正面側」、これと反対の観客が居る側を「客側」乃至「背面側」と呼称する。また、本打楽器装置の前後左右の方向は、奏者を基準として呼称する。図１は斜め奏者側から見た図である。
【００１５】
本打楽器装置は、メインボード３０と、複数の打撃用のドラムボード２０（２０Ａ〜２０Ｇ）、及び操作パネル部３９を備える。メインボード３０は、木質材等によって板状に構成され、その外縁３１は、正面視で横長の長方形に構成される。メインボード３０は、４本の脚部６０（奏者側面３０ａのもののみ図示）によって、メインボード３０の下部が床面から浮いた状態で、垂直に立設される。各ドラムボード２０及び操作パネル部３９は、メインボード３０に対して展開／折り畳み自在となっている。
【００１６】
メインボード３０の奏者側面３０ａにおいては、円形の枠部３３が設けられている。枠部３３は、奏者側からアコースティックドラムセットにおけるバスドラムを想起させるべく、正面視、バスドラムのシェル型を呈している。また、メインボード３０の奏者側面３０ａにおける、枠部３３の中央部には、バスドラムボード３２が固定的に配設される。バスドラムボード３２は、アコースティックドラムセットにおけるバスドラムの中央部（主に打撃される部分）に相当する位置に配設される。
【００１７】
メインボード３０の奏者側面３０ａにおける、上部左右端部には、スピーカ３４（３４Ｌ、３４Ｒ）が配設される。また、図示はしないが、メインボード３０には、音源回路、増幅回路、効果回路等の楽音発生のための基板が内装される。ドラムボード２０、バスドラムボード３２の各々には、打撃を検出する打撃センサ（図２〜図４で後述）が設けられている。各打撃センサの検出信号は、上記基板に送られ、楽音信号に変換される。そして、その楽音信号が、スピーカ３４、及び枠部３３内に配設された不図示のスピーカから音響となって放音される。また、操作パネル部３９は、ＬＣＤ等で構成され、ユーザが、音色、音量、モード等、各種設定を行うのに用いられる。
【００１８】
ドラムボード２０Ａ〜２０Ｄは、スネアドラム、フロアタム等のドラム型に構成される。一方、ドラムボード２０Ｅ、２０Ｆ、２０Ｇは、シンバル型に構成され、具体的には、それぞれ、クラッシュシンバル（サイドシンバル）、ライドシンバル（トップシンバル）、ハイハットシンバルと同様の形状で同様の配置位置に配設される。ドラムボード２０Ｅ、２０Ｆは、メインボード３０に対して回動自在にされたアーム１０の先端部に取り付けられている。
【００１９】
シンバル型であるドラムボード２０Ｅ、２０Ｆ、２０Ｇは、構成が互いに同様である。また、これらに備えられる打撃センサも、いずれも同様に構成される。従って、代表してドラムボード２０Ｅ及びドラムボード２０Ｅに備えられる打撃センサを説明する。一方、ドラム型のドラムボード２０Ａ〜２０Ｄに備えられる打撃センサについては、上記特許文献１、２等で示されるのと同じような公知の構成であり、その説明を省略する。
【００２０】
図２（ａ）は、ドラムボード２０Ｅの、一部を断面で示す側面図、同図（ｂ）は、ドラムボード本体とセンサ取り付け基板との間隙部分を示す拡大図である。図３は、ドラムボード２０Ｅ及びその取り付け部分の分解図である。図４は、ドラムボード２０Ｅの平面図である。図２〜図４においては、右方が奏者側である。
【００２１】
図３に示すように、アーム１０は、断面円形の金属製の支柱として構成され、段差部１０ｂより上方の部分は、それより下方の部分より小径の小径部１０ａとなっている。小径部１０ａには、全長に亘って雄ねじが形成されている。アーム１０の、段差部１０ｂの少し下の位置には、基板保持板１１が固定されている。基板保持板１１は、例えば、溶接や螺着等でアーム１０に一体的に固定されるが、固定の方法は問わない。
【００２２】
基板保持板１１の上には、センサ取り付け基板１２が配設される。センサ取り付け基板１２は、その下面の一部である被取付部１２ｂがセンサ取り付け基板１２の上面に固着等によって固定的にされている。センサ取り付け基板１２は、板状で、それ自体、可撓性を有する。センサ取り付け基板１２は、被取付部１２ｂからみて奏者側に長く（図４参照）、被取付部１２ｂと自由端部１２ａとの中間付近において、センサ取り付け基板１２の下面には、打撃センサ１３が配設されている。打撃センサ１３からはリード線１４が延びている。打撃センサ１３は、例えば、ピエゾ素子を用いた圧電検出型振動検知センサであり、センサ取り付け基板１２が力を受けたことでセンサ取り付け基板１２に生じる変形乃至変位（振動を含む）に応じた信号を出力する。
【００２３】
小径部１０ａの基端部には、金属製の受け部材１５が設けられる。受け部材１５は、例えば、ナットであり、小径部１０ａの雄ねじに螺合されて、段差部１０ｂに当接して位置決めされている。なお、受け部材１５は、アーム１０において、センサ取り付け基板１２より上方位置でセンサ取り付け基板１２とは独立して固定されていればよく、ナットである必要はない。
【００２４】
小径部１０ａにおいて、受け部材１５の上には、下側弾性ワッシャ１６が配設される。下側弾性ワッシャ１６は、小径部１０ａが挿通可能な穴を有し、受け部材１５の配設後に小径部１０ａの上端から挿通、配設される。下側弾性ワッシャ１６は、例えば、硬質のフェルトで構成されるが、ウレタンゴム等の弾性材で構成してもよい。
【００２５】
ドラムボード本体２１の平面視中央部には、小径部１０ａが挿通される挿通穴２１ｄが形成されている。小径部１０ａの上端からドラムボード本体２１が挿通され、挿通穴２１ｄの近傍部分におけるドラムボード本体２１の下面２１ｂが下側弾性ワッシャ１６に当接して、ドラムボード本体２１の上下方向の基本的位置が規制される。さらに、小径部１０ａにおいて、ドラムボード本体２１の上面２１ａの上には、上側弾性ワッシャ１７が配設される。上側弾性ワッシャ１７は、小径部１０ａが挿通可能な穴を有し、ドラムボード本体２１の配設後に小径部１０ａの上端から挿通、配設される。上側弾性ワッシャ１７は、下側弾性ワッシャ１６と同様の素材で構成される。
【００２６】
さらに、小径部１０ａの上端において、上側弾性ワッシャ１７の上には、蝶ナット等の締め付け具１８が設けられる。締め付け具１８は、上側弾性ワッシャ１７の配設後に、小径部１０ａの上端から小径部１０ａの雄ねじに螺合される。従って、ドラムボード本体２１は、締め付け具１８を締め付けることで、上側弾性ワッシャ１７と下側弾性ワッシャ１６とに挟まれた状態で保持される（図２（ａ）参照）。
【００２７】
ドラムボード本体２１は、傘型で平面視円盤状であるが、図２（ａ）に示すように、中央部がやや盛り上がっており、下面２１ｂの一部が円状に下方に突出した駆動部２１ｃとなっている（図２（ｂ）参照）。センサ取り付け基板１２の自由端部１２ａは、ちょうど、駆動部２１ｃの直下に位置し、ドラムボード本体２１の非打撃時において、自由端部１２ａと駆動部２１ｃとは間隙Ｃ１を保って非接触で近接している。
【００２８】
演奏時には、ドラムボード本体２１は、上面２１ａのうち、奏者側、すなわち、図２（ａ）の右方の領域、主に周縁に近い位置がスティックで打撃される。下側弾性ワッシャ１６は適当な弾性を有するので、ドラムボード本体２１が打撃されると、下側弾性ワッシャ１６が縮んで、ドラムボード本体２１の奏者側の半部が下方に変位する。従って、一定以上の力で打撃されたときは、センサ取り付け基板１２の自由端部１２ａにドラムボード本体２１の駆動部２１ｃが当接する。また、ドラムボード本体２１は、樹脂等で構成され、それ自体に弾性を有する。従って、ドラムボード本体２１の変位だけでなく、変形によっても駆動部２１ｃが自由端部１２ａに当接することがある。なお、ドラムボード本体２１は、打撃により変位または変形の少なくとも一方により、駆動部２１ｃが自由端部１２ａに当接し得るように構成してもよい。
【００２９】
駆動部２１ｃが自由端部１２ａに当接すると、センサ取り付け基板１２は変形し、それに応じた出力信号が打撃センサ１３から出力される。そして、打撃センサ１３から出力される信号により、ドラムボード本体２１の打撃状態が検出される。
【００３０】
ここで、自由端部１２ａと駆動部２１ｃとの間隙Ｃ１は、非打撃時には必ず生じ、且つ、演奏を意図する通常の打撃により、自由端部１２ａが駆動部２１ｃに当接するような量に設定される。具体的には、間隙Ｃ１は、０．１〜２．０ｍｍに設定される。間隙Ｃ１は、締め付け具１８の締め付け量によって調節可能である。すなわち、締め付け具１８を締め付けるほど、下側弾性ワッシャ１６が縮み、ドラムボード本体２１を下方に位置させることができる。間隙Ｃ１の調節は、打撃検出における不感帯の調節、乃至、感度の調節にもなる。
【００３１】
ドラムボード２０Ｅは、アーム１０、メインボード３０を介して他のドラムボード２０に連結関係にあることから、他のドラムボード２０における打撃による振動が、ノイズ振動としてドラムボード２０Ｅのアーム１０にも伝わってくる。しかしながら、ドラムボード本体２１とセンサ取り付け基板１２とは、それぞれ独立してアーム１０に固定されており、しかも、間隙Ｃ１を設けたことで、非打撃時には互いに非接触状態にある。さらには、上側弾性ワッシャ１７及び下側弾性ワッシャ１６がドラムボード本体２１を弾性的に保持している。これらから、アーム１０を介して伝わるノイズ振動によって、ドラムボード本体２１が僅かに振動したとしても、自由端部１２ａが駆動部２１ｃに当接するほどではない。これにより、ドラムボード本体２１の打撃センサ１３がノイズ振動により信号を出力すること（いわゆる「とびつき」）が回避され、誤検出が抑制される。
【００３２】
ところで、締め付け具１８を緩め、締め付け具１８と共に上側弾性ワッシャ１７を取り外すことで、ドラムボード本体２１をアーム１０から取り外し可能であり、センサ取り付け基板１２をアーム１０に取り付けたままの状態で、ドラムボード本体２１を着脱自在である。図３に示すように、ドラムボード本体２１以外にも、ドラムボード本体２１と同じ挿通穴２１ｄを有した、複数の（数は限定されない）代替用のドラムボード本体２１−１、２１−２、２１−３が用意されている。代替用のドラムボード本体２１−１、２１−２、２１−３は、種類が異なり、例えば、それぞれサイズや形状（円形や扇型等）が異なっている。ユーザは、これら複数のドラムボード本体２１、２１−１〜２１−３のうち、所望の１つを選択して、アーム１０に装着することができる。
【００３３】
ドラムボード２０、バスドラムボード３２及び操作パネル部３９と基板とは、主に各ドラムボード２０を支持する各アーム内やメインボード３０内を通って配線されている。各ドラムボード２０、バスドラムボード３２の打撃により発音される楽音の音色は、必ずしも一般のドラム装置と同じとする必要はなく、操作パネル部３９の操作により任意に設定することができる。また、それらの楽音の発音のスピーカへの割り当ても、任意に設定することができる。従って、代替用のドラムボード本体２１−１〜２１−３を装着したときでも、それの音色や発音のスピーカへの割り当ても、自由に設定可能であり、ドラムボード２０Ｅを別の種類のドラムとして利用することも可能である。
【００３４】
本実施の形態によれば、ドラムボード本体２１の非打撃時においては、センサ取り付け基板１２の自由端部１２ａがドラムボード本体２１の駆動部２１ｃに対して間隙Ｃ１を有して非接触で近接し、且つ、打撃時においては当接し得るので、他のドラムボードの打撃等に起因するノイズ振動による影響を受けない。従って、打撃状態の誤検出を抑制することができる。
【００３５】
また、締め付け具１８の締め具合によって間隙Ｃ１を調節できるので、ドラムボード本体２１の打撃時の不感帯等、検出感度の調節が可能になる。例えば、ドラムボード２０Ｅ、２０Ｆ、２０Ｇの検出感度を均一になるように調節したり、あるいは、右側のドラムボード２０Ｆの感度のみを他の２つに比べて下げたりすることも可能である。従って、例えば、右利きの奏者がドラムボード２０Ｆにのみ力が入り過ぎたとしても、検出感度が均一になるように調節することができるし、あるいは、わざと左右アンバランスに調節することもできる。
【００３６】
また、間隙Ｃ１が存在して適当な不感帯が得られることから、打撃センサ１３による打撃検出の精度は、ドラムボード本体２１自体の振動の態様に左右されにくい。これにより、適切なセンシングのためにドラムボード本体２１の叩くべき位置が狭い範囲に限定されにくく、打撃の仕方も限定されにくいことから、常に安定したセンシングを行うことができる。
【００３７】
さらに、センサ取り付け基板１２をアーム１０に取り付けたままの状態で、ドラムボード本体２１をアーム１０に対して着脱自在に構成したので、アーム１０に対する取付部を同じくする複数のドラムボードのうち１つを選択してアーム１０に支持可能であり、ドラムボード本体２１の交換を可能にすることができる。特に、打撃センサ１３の交換を伴わないでドラムボード本体２１を交換でき、交換する度に、間隙Ｃ１の調節により、装着したドラムボード本体２１に応じた適切な感度を得ることも容易である。
【００３８】
なお、打撃センサ１３は、センサ取り付け基板１２の自由端部１２ａに力が加えられたことを検出して信号を出力するものであればよい。従って、ピエゾ素子を用いたものに限られず、例えば、アーム１０に対する自由端部１２ａの変位を検出可能に配設された光センサ等であってもよい。
【図面の簡単な説明】
【００３９】
【図１】本発明の一実施の形態に係る電子打楽器装置の斜視図である。
【図２】ドラムボードの、一部を断面で示す側面図（図（ａ））、ドラムボード本体とセンサ取り付け基板との間隙部分を示す拡大図（図（ｂ））である。
【図３】ドラムボード及びその取り付け部分の分解図である。
【図４】ドラムボードの平面図である。
【符号の説明】
【００４０】
１０  アーム（支持体）、  １２  センサ取り付け基板（センサ取り付け部材）、  １２ａ  自由端部、  １２ｂ  被取付部（被支持部）、  １３  打撃センサ（センサ部）、  １８  締め付け具（調節手段）、  ２０  ドラムボード、  ２１  ドラムボード本体（ドラムボード）、  ２１ｃ  駆動部（所定部）、  Ｃ１  間隙
【図１】
0004556894.tif 000002
【図２】
0004556894.tif 000003
【図３】
0004556894.tif 000004
【図４】
0004556894.tif 000005